(57)【要約】  本発明は、送信機ユニット（１）及び受信機ユニット（２）を含む、乳幼児用モニタのための送受信機セットに関する。本発明は、送信機ユニット（１）が、受信機ユニット（２）の寸法より大きい寸法を有するチャンバ（１５）の内部へのアクセスを提供する少なくとも１つの取り外し可能な壁（４）を含むことで特徴付けられる。
2005515570.tif 000002
【特許請求の範囲】
【請求項１】
送信機ケース（１）と受信機ケース（２）とを有する乳幼児用モニタのための送受信機セットであって、送信機ケース（１）は、受信機ケース（２）の寸法より大きい寸法を有する囲い部（１５）の内部へのアクセスを可能にする少なくとも１つの取り外し可能な壁（４）を有することを特徴とする送受信機セット。
【請求項２】
前記囲い部（１５）の基部（１６）が受信機ケース（２）の底面（３４）と協働するように設けられた構成を有するか、又は前記囲い部（１５）の内壁の１つが受信機ケース（２）を掛けるための手段を有することを特徴とする請求項１に記載の送受信機セット。
【請求項３】
前記囲い部（１５）の容積と受信機ケース（２）の容積との間の比が、１．３から２．５までの間に含まれることを特徴とする請求項１又は請求項２に記載の送受信機セット。
【請求項４】
送信機ケースは、外側シェル（３）によって覆われた台部（１４）を有し、前記囲い部（１５）は、外側シェル（３）と台部（１４）との間に境界が定められていることを特徴とする請求項１ないし３のいずれかに記載の送受信機セット。
【請求項５】
前記台部（１４）は、マイクロフォン（９）と、給電手段と、作動の管理のための電子回路（１８）とを形成する手段を収容することを特徴とする請求項４に記載の送受信機セット。
【請求項６】
前記取り外し可能な壁（４）は、外側シェル（３）の保持手段と協働するように設けられた弾性の連結手段を有することを特徴とする請求項１ないし５のいずれかに記載の送受信機セット。
【請求項７】
送信機ケース（１）は、給電手段及び該給電手段の電子回路に接続された電球（２０）を有することを特徴とする請求項１ないし６のいずれかに記載の送受信機セット。
【請求項８】
前記外側シェル（３）は、該外側シェル（３）の表面の少なくとも一部にわたって光透過性材料で作られていることを特徴とする請求項１ないし７のいずれかに記載の送受信機セット。
【請求項９】
前記外側シェル（３）の内壁は、電球に面する外側シェル（３）の内面の少なくとも一部にわたって光反射性材料で覆われていることを特徴とする請求項４ないし８のいずれかに記載の送受信機セット。
【請求項１０】
受信機ケース（２）は、ブレスレットに取り付けられるか、又は衣服の一部に取り付けるためのクリップ（３１）を有することを特徴とする請求項１ないし９のいずれかに記載の送受信機セット。
【発明の詳細な説明】
【技術分野】
【０００１】
本発明は、遠隔式モニタに関し、より詳細には、乳幼児用音声モニタを構成する送信機及び少なくとも１つの受信機によって形成されるセットに関する。
【背景技術】
【０００２】
一方では乳幼児の近くに配置される送信機ケースと、親の近くに配置されるか又は親によって運ばれる受信機ケースとにより構成される乳幼児又は小児用音声モニタが、当該技術分野において知られている。
【０００３】
送信機ケースは、一般に、マイクロフォンと、所定の最大範囲を有する無線信号を受信装置を有する受信機ケースに向けて送ることができる送信装置とを有し、受信装置は該無線信号を受信し、その結果、眼に見え、聞こえ、触知できる信号又はこれらの信号の組み合わせをトリガする。該２つのケース、すなわち送信機ケース及び受信機ケースは、それぞれ、電力供給手段も含む。
【０００４】
これらの器具によりしばしば提示される問題は、その携帯性である。受信機の寸法を減少させ、ブレスレットに取り付けられるか、或いはファスナ又はクリップによってベルト又は衣服に固定されることができるように小型化されることによる、解決法が提供されてきた。こうした解決法は、特許文献１に記載されている。
【０００５】
しかしながら、携帯可能な受信機を用いても、セットの嵩及び携帯性の問題は常に存在する。したがって、例えば子供が保育に行く時又は休暇時に家の外に移動する際には、２つの器具は扱いにくいものとなり、それらを携帯するのは常に困難である。
【０００６】
別の欠点は、収納できる見込みなしに、例えばモニタ、常夜灯、オルゴールなどの幾つかの器具を使用することは、既におもちゃ及び様々な付属品で散らかっている乳幼児室において多くの場所を取ることである。
【０００７】
さらに、関連分野、すなわち送信機と受信機との間の所定の距離を超えた時に警報音を発することができる電子回路を有する警報装置の分野について、１つ又は幾つかの送信装置を収容することができる受信機ケースについて記載する特許文献２が知られている。この文献においては、受信機ケースは、開放型の囲い部の内部に、１つ又は幾つかの送信装置の収容を可能にする空間を作るように修正されている。この解決法は、この場合には受信機である携帯可能な器具としてはかさばるものとなる、必要以上に大きな寸法に基づいたケースを有するという事実を、第１の欠点として呈している。さらに、送信装置が収容されることを可能にする空間は、外部環境からの良好な保護も、持ち運び中の安全性も保証しない開放型の囲い部である。
【０００８】
【特許文献１】米国特許第６，１６２，０４０号明細書
【特許文献２】国際公開第００／７４０１７号パンフレット
【発明の開示】
【発明が解決しようとする課題】
【０００９】
本発明の目的は、上記の欠点を克服し、嵩が減少され、屋外の移動の際に容易に持ち運びできる乳幼児用モニタを提供することである。
【００１０】
本発明の別の目的は、特にコンパクトな携帯可能な受信機ケースを提供しながら、送信機及び受信機のセットを容易に持ち運びできるようにし得る、乳幼児用モニタの構成部品のための閉じた収納空間を提供することである。
【００１１】
本発明の別の目的は、作動の信頼性が高く、低い製造コストでの大量生産が容易でありながら、幾つかの機能を同じケース内に一体化している乳幼児用モニタである。
【００１２】
本発明の補足的な目的は、構成部品に損傷を与えるリスクがなく、完全に安全な状態でセットの持ち運びを容易にしながら、嵩の小さい乳幼児用モニタの送受信機セットのための収納場所を提供することである。
【００１３】
これらの目的は、送信機ケースが、受信機ケースの寸法より大きい寸法を有する囲い部の内部へのアクセスを可能にする少なくとも１つの取り外し可能な壁を有するという事実により、送信機ケース及び受信機ケースを有する乳幼児用モニタのための送受信機セットを用いて達成される。
【００１４】
このように、送信機ケースは、該ケースの内部に、マイクロフォンと、送信アンテナと、電気エネルギー供給手段と、その作動の管理を行う電子回路と、制御インターフェースとを含む、送信機能を有する器具であると理解される。同様に、受信機ケースは、該ケースの内部に、受信用アンテナと、スピーカと、電気供給手段と、電子回路と、制御インターフェースと、該ケースの外側に該ケースの取付け又は支持のための手段とを有する、受信機能を有する器具であると理解される。
【００１５】
本発明によると、送信機ケースの囲い部は、受信機ケースの寸法より大きい寸法を有する、すなわち該囲い部の寸法は、該送信機ケースの内部に収納され得る該受信機ケースを受け入れるのに充分なほどである。このことは、携帯可能な受信機ケースが、コンパクトな構成を有し、通常は単独で乳幼児の近くの支持体上に置かれる送信機ケースの内部に収納されることを可能にする。
【００１６】
取り外し可能な壁は、例えばヒンジ又は案内レールによって送信機ケースに接続されたままにするか、又は完全に取り外されることによって、該送信機ケースに対して移動され得る壁であることが理解される。この２つの場合において、その壁は、送信機ケースの開口部を開放すべきであり、該開口部は、受信機ケースを該送信機ケースに挿入することを可能にする寸法を有する。
【００１７】
したがって、受信機ケースは、送信機ケースの内部に収納されることができる。このことは、使用時には分離することができるが、不使用時には単一のものとなる、２つの器具を有することを可能にする。このように、２つの器具の持ち運び及び収納の際に付加的な空間が得られると同時に、嵩が大きく減少される。さらに、受信機ケースは、持ち運び中に送信機ケースの外側によって保護される。
【００１８】
有利なことに、この囲い部の基部は、受信機ケースの底面と協働するように設けられた構成を有するか、又は該囲い部の内壁の１つが該受信機ケースを掛けるための手段を有する。
【００１９】
したがって、１つの変形において、受信機ケースは、単に囲い部の基部上に置かれることによって、送信機ケースの囲い部の内部に配置されることができる。囲い部の基部の表面を、平坦にするか又は反らせる（すなわち湾曲させる）ことができ、受信機ケースの底面の表面も同様に、該囲い部の該基部の形態に対して補完的な形態をもつように平坦にするか又は反らせることができる。このことは、囲い部の内部における受信機ケースの安定性及び良好な位置決めを確実なものにする。受信機ケースの側面の１つを支持し、持ち運び中にこの２つのセットをさらに安定化させる補完的な横方向の支持区域を、囲い部の中に考えることができる。
【００２０】
別の変形において、受信機ケースは、送信機ケースの内部に収納する際に、該送信機ケースの側壁の１つに固定されることができる。このために、ケースの側壁は、フックを形成するリブを有し、送信機ケースは、該フック内に配置されることになる対応する形態のクリップを有する。補足的な変形においては、送信機ケースの壁にあるリブの近くに連結させる（又は引っ掛ける）ための手段が設けられた中間支持体に、受信機ケースを固定するためのものを提供することができる。
【００２１】
好ましくは、囲い部の容積と受信機ケースの容積との間の比は、１．３から２．５までの間に含まれる。
【００２２】
さらに詳しく言えば、送信機ケースの容積を過度に増加させることなく、該送信機ケースの内部に受信機ケースを挿入するのに十分な空間を有することを可能にする容積の最適比が、行われた試験の際に求められた。これらの値は、モニタが単一の受信機と共に機能する送信機を有する場合に適用される。幾つかの受信機が存在する場合には、送信機ケースの囲い部は、内部に全ての受信機を挿入できるような大きさにされる。
【００２３】
有用なことに、送信機ケースは、外側シェルによって覆われた台部を有し、囲い部は、該外側シェルと該台部との間で境界が定められる。
【００２４】
台部は、送信機ケースの基部を構成する、好ましくは閉鎖された部品であると理解され、該台部の上部は、受信機ケースのための支持体として機能することができる。外側シェルは、台部の上面及び側面で該台部を囲むことができるか、又は単に該台部の上面に載り、よって該台部と共に閉じた囲い部を定めているベル又は丸屋根の形態を有する。
【００２５】
有利なことに、この台部は、マイクロフォンと、給電手段と、作動の管理のための電子回路とを形成する手段を収容する。
【００２６】
これらの構成部品の全てを閉じた空間内に集めることは、まず、傷つきやすい構成部品を保護するという理由で、次に、送信機ケースの内部の空間を節約するために有用である。
【００２７】
好ましくは、取り外し可能な壁は、外側シェルの保持手段と協働するように設けられた弾性の連結手段を有する。
【００２８】
このことは、取り外し可能な壁と送信機ケースの外側シェルが互いに固定されることを可能にする一方で、それらのロックの解除を容易にし、このロックの解除は、例えば外側シェルの横断面全体を横切るフィンガを用い、取り外し可能な壁の弾性の舌部を圧迫することによって達成されることができる。逆に、連結手段が送信機ケースの外側シェルに属し、保持手段が取り外し可能な壁に属してもよい。
【００２９】
有利なことに、この外側シェルは、その表面の少なくとも一部にわたって光透過性である材料で作られる。
【００３０】
このことは、一方では、ユーザがケースの内部を見ることを可能にし、他方では、送信機ケースが、常夜灯の機能といった補足的な機能を有することを保証する。外側シェルは、その表面全体にわたって完全に又は一部だけが、光透過性又は半透過性の材料で作られていてもよい。同様に、この壁は、模様又は図形で覆われてもよい。
【００３１】
好ましくは、送信機ケースは、給電手段及び該給電手段の電子回路に接続された電球を有する。
【００３２】
このように、本発明による有利な手法においては、送信機ハウジングの内部の収納空間は、受信機ケースが内部にあるかどうか確かめることを可能にする照明された区画内に配置される。送信機ケースを常夜灯モードに置く際には、受信機が送信機の内部に収納されたかどうかを、透明な窓を通してより容易に観察することができ、該送信機ケースの収納空間の内部にうっかりと置き忘れられた受信機ケースを迅速に取り出すことが可能になる。
【００３３】
さらに、受信機ケースがない場合には、送信機ケースを常夜灯に変えることができ、このことは、多数の機能をもつ器具を提供するという利点を有する。電球は、送信機の電気回路に接続されることができるか、又は、自らの回路によって電力供給されることができる。
【００３４】
有利なことに、この外側シェルの内壁は、電球に面する内面の少なくとも一部にわたって、光反射性材料で覆われている。
【００３５】
このことは、低出力の電球を用いながら、常夜灯の輝度を増幅させることを可能にする。好ましくは、反射性材料で覆われた内壁は、外側シェルの光透過性部分に面する。
【００３６】
好ましくは、受信機ケースは、ブレスレットに取り付けられるか、又は衣服の一部に取り付けるためのクリップを有する。
【００３７】
このことは、送信機ケースの囲い部の寸法の減少を可能にすると同時に、乳幼児の監視を請け合っている人によって容易に携帯可能な小さな寸法の受信機ハウジングを意味する。有利なことに、この取付け用クリップは、該クリップのための取り付け用支持体が設けられたブレスレットに取り付けられることができる。
【００３８】
本発明は、限定されない例として与えられ、添付の図面に示された実施形態を検討することにより、より良く理解されるであろう。
【発明を実施するための最良の形態】
【００３９】
図を参照すると、送信機ケース１の図を示す図１ａにおいて、光透過性の前壁２２と、アンテナ５と、制御インターフェース７とを有する外側シェル３が示される。制御インターフェース７には、器具の作動状態を示す２色のダイオードを有するオン／オフスイッチ８と、マイクロフォン９と、周囲の温度を示すＬＣＤディスプレイ１０と、常夜灯のオン／オフスイッチ１１と、オルゴールのオン／オフスイッチ１２とが見出される。
【００４０】
本発明によると、送信機ケース１は、外側シェル３の後壁を構成する、図３により明瞭に見られる取り外し可能な壁４を有する。１つの変形においては、取り外し可能な壁は、同様に前壁とすることができ、又は送信機ケース１の内部へのアクセスを可能にするように、該ケースの残りの部分に対して取り外し可能に取り付けられることができる他の何らかの部分とすることができる。取り外し可能な壁４は、その下部において、外側シェル３の対応する形態のキャビティ３８に挿入される案内足部３７を与え、上部においては、該外側シェル３に属し、該取り外し可能な壁４を該外側シェル３に押し当ててロックすることにより該取り外し可能な壁４のキャビティ１３に挿入されることになる舌部６のための保持キャビティ１３を与える。
【００４１】
図１ｂは、外側シェル３の後部すなわち取り外し可能な壁４が取り外された状態の、送信機ケース１の内部を示す。このように、送信機ケース１の下部には、外側シェル３と共に囲い部１５を定める台部１４が示されている。台部１４は、送信機ケース１の大部分の構成部品を含む閉じたケースの形態に作られている。外側シェル３は丸屋根の形態であり、該外側シェル３の側面で台部１４を囲っている。
【００４２】
図３により明瞭に見られるように、台部１４の内部には、電子回路１８にエネルギーを供給するバッテリー・ケースが見出される。電子回路１８は、マイクロフォン９からの信号を、アンテナ５を通して受信機に送られる所定の周波数の無線信号に変換するといった、器具の作動の電子的管理を確実なものにするマイクロプロセッサを有する。
【００４３】
電球又はランプ２０が、台部１４の外側に向けて突出し、外側シェル３の取り外し可能な壁４の内面に向けて、該台部１４の前方で且つ上部に配置されている。電球２０は、電気供給及び作動を確実なものにする電子回路１８に接続されている。囲い部１５の内部において電球２０によって与えられる光の良好な反射を確実なものにするために、取り外し可能な壁４の内面は、極めて精密な仕上げを有するメッキプラスチック材料の研磨された金属材料で作られる。
【００４４】
本発明の受信機ケース２が図２ａに見られ、詳細には、該受信機のケース２４の前面は、スピーカ２５と、液晶タイプのディスプレイ２６と、オン／オフスイッチ２８と、バイブレータを始動および停止させるボタン２９と、２つの音量調節ボタンすなわち該スピーカ２５の音量を増加させる一方３０ａ、及び該スピーカ２５の音量を減少させる他方３０ｂを備えている。受信機ケースの寸法は、該受信機ケースが、衣服に取り付けられるか又はブレスレットに搭載された状態で運ばれることができるように小さくされている。このために、ケース２４は、その後面に、図２ｂに見られる固定用クリップ３１を有する。例として、こうした受信機ケースは、次の最大寸法、すなわち４０ｍｍ×４０ｍｍ×１５ｍｍを有することができる。
【００４５】
１つの変形においては、固定用クリップ３１は、ブレスレットの平坦な又は僅かに湾曲した支持体に取り付けられることができる。この支持体には、クリップの挿入を可能にするスロットが設けられ、該クリップは、次いでブレスレットに固定され、手首に支持されることができる。有利な手法においては、図３に示されるように、ブレスレットの支持体にある同じスロットが、送信機ケース１の内部において、受信機ケース２の固定用フックとして機能することができる。
【００４６】
受信機ケースは、図３に見られる電源供給バッテリ３３と、図には見られない一体型のアンテナと、バイブレータと、送信機のアンテナ５によって送られた信号を受信し、この信号をスピーカ２５からの音声信号に変換するといった、該受信機ケースの作動の管理を確実なものにするマイクロプロセッサ電子回路３２とを含む。ディスプレイ２６のスクリーンには、受信機によって受信された信号の強度、音声レベルの調節、受信チャネルの数、バッテリの充電状態、バイブレータの状態などが示される。
【００４７】
作動中、送信機ケース１は、乳幼児室において乳幼児の近くに配置される。この器具は、電源コンセントに接続され、スイッチ８を入れることによって、親によってオンされる。スイッチ２８によってオンされた後、受信機ケース２は、親の衣服の一部に取り付けられ、親は、乳幼児との連絡を維持しながら、乳幼児のもとから立ち去ることができる。乳幼児の泣き声は、送信機ケース１によって受信機ケース２に送られ、次いで、親によって聞かれ、親はその泣き声に対処することができる。送信機ケース１は、該送信機ケース１のそれぞれの機能を作動させることにより、常夜灯としても又はオルゴールとしても機能することができる。
【００４８】
送信機ケース１及び受信機ケース２を有するモニタが、収納のためか、又は住居の外に移動する際に該モニタを携帯するために停止させられる時には、親は、図３に示されるように、該受信機ケース２を該送信機ケース１の内部に挿入することができる。送信機ケース１の囲い部１５の内部へのアクセスを得るために、親は、外側シェル３の連結舌部６を押し付け、該連結舌部６を対応する形態を有する壁４のオリフィス１３から分離させることによって、取り外し可能な壁４を取り外す。次いで、親は、ケース２４の下面３４が囲い部１５の基部１６上に置かれた状態で、又は、図３に示される１つの変形においては、受信機ケース２の支持体３５を取り外し可能な壁４のリブ３６に引っ掛けることによって、該受信機ケース２を該囲い部１５内に配置する。受信機ケースが所定の位置に挿入されると、親は、取り外し可能な壁を元の位置に戻すことによって囲い部１５を閉じる。
【００４９】
送信機及び受信機のエンベロープ部分すなわちシェル又はケースは、好ましくは、衝撃に対して優れた耐性を示し、完全に安全な状態で送受信機セットの持ち運びを可能にする、例えばＡＢＳのような熱可塑性材料で作られる。
【００５０】
本発明の特許請求の範囲の枠組みから逸脱することなく、本発明の他の変形及び実施形態が考えられ得る。
【００５１】
したがって、送信機ケースの台部には、受信機ケースの電源供給ピンと接続されることになる電気供給用接点を有する変圧器が設けられ、よって該受信機ケースが該送信機ケースの内部に配置された時に該受信機ケースのバッテリを再充電できるようになることを考えることができる。
【図面の簡単な説明】
【００５２】
【図１ａ】前方から見た送信機ケースの斜視図を示す。
【図１ｂ】外側シェルの一部が取り外された状態の、後方から見た送信機ケースの内部の斜視図を示す。
【図２ａ】前方から見た受信機ケースの斜視図を示す。
【図２ｂ】後方から見た受信機ケースの斜視図を示す。
【図３】受信機ケースが送信機ケースの内部に取り付けられた状態の、本発明の送受信機セットの軸方向断面図である。
【図１ａ】
2005515570.tif 000003
【図１ｂ】
2005515570.tif 000004
【図２ａ】
2005515570.tif 000005
【図２ｂ】
2005515570.tif 000006
【図３】
2005515570.tif 000007
【国際調査報告】
2005515570.tif 000008
2005515570.tif 000009
2005515570.tif 000010
2005515570.tif 000011